(57)【特許請求の範囲】
【請求項１】
建設機械本体のトップシーブブロックに３方向以上の複数のワイヤロープを掛け渡すとともに、ワイヤロープの先端を固定するための固定金具をトップシーブブロック上に水平方向に設けた建設機械において、前記トップシーブブロックに、前記固定金具の先端側が下方に回動することを抑制するための固定金具支持部材を設けたことを特徴とする建設機械。
【発明の詳細な説明】
【技術分野】
【０００１】
本発明は、建設機械に関し、詳しくは、トップシーブブロックに複数のワイヤを掛け渡した建設機械に関する。
【背景技術】
【０００２】
建設機械、例えば杭打機では、本体に立設したリーダの上端部にトップシーブブロックを設け、このトップシーブブロックに複数の作業装置に対応するためのワイヤロープを２方向以上にそれぞれ掛け渡すことが行われている（例えば、特許文献１参照。）。
【先行技術文献】
【特許文献】
【０００３】
【特許文献１】特開２００２−１２１７３６号公報
【発明の概要】
【発明が解決しようとする課題】
【０００４】
トップシーブブロックでワイヤロープを２方向に設ける場合は、特許文献１に記載された構造などで互いに干渉しないようにワイヤロープを配置することができるが、３方向以上になると、トップシーブブロック上の狭い空間にワイヤロープを立体的に配置しなければならない。一方、ワイヤロープの先端を固定するための固定金具（ワイヤソケット）がトップシーブブロック上に水平方向に設けられている場合、ワイヤロープに弛みが発生するとワイヤソケットの先端側（ワイヤロープ側）が下方に回動し、該ワイヤソケットの下方を通過しているワイヤロープとワイヤソケットとが接触するおそれがあった。このようにワイヤロープとワイヤソケットとが接触している状態でウインチを操作すると、ワイヤロープがワイヤソケットと擦れることによってワイヤロープが損傷するおそれがあった。
【０００５】
そこで本発明は、水平方向に配置したワイヤソケットの先端側が下方に回動することを防止することができ、３本以上のワイヤロープを立体交差させて配置したときに、ワイヤソケットと該ワイヤソケットの下方を通過するワイヤロープとが接触することを防止できる建設機械を提供することを目的としている。
【課題を解決するための手段】
【０００６】
上記目的を達成するため、本発明の建設機械は、建設機械本体のトップシーブブロックに３方向以上の複数のワイヤロープを掛け渡すとともに、ワイヤロープの先端を固定するための固定金具をトップシーブブロック上に水平方向に設けた建設機械において、前記トップシーブブロックに、前記固定金具の先端側が下方に回動することを抑制するための固定金具支持部材を設けたことを特徴としている。
【発明の効果】
【０００７】
本発明の建設機械によれば、ワイヤロープに弛みが生じて固定金具の先端側が下方に回動する状態になっても、固定金具支持部材が固定金具の先端側が下方に回動することを抑制するので、該固定金具の下方を通過しているワイヤロープと固定金具とが接触することを防止できる。
【図面の簡単な説明】
【０００８】
【図１】本発明の建設機械におけるトップシーブブロックの一形態例を示す側面図である。
【図２】同じく平面図である。
【図３】同じく正面図である。
【図４】建設機械の一例を示す杭打機の側面図である。
【発明を実施するための形態】
【０００９】
本形態例に示す建設機械は、主な構成要素として、下部走行体１１と、該下部走行体１１の上部に旋回可能に設けられた上部旋回体１２と、該上部旋回体１２の前部に設けられたフロントブラケット１３に起伏可能に設けられたリーダ１４と、該リーダ１４を上部旋回体１２の後部から支持するバックステー１５とを備えた杭打機であって、前記リーダ１４には、各種作業装置、例えばオーガを駆動するオーガ駆動装置１６などがリーダ１４に沿って昇降可能に設けられ、リーダ１４の頂部には複数のワイヤロープ１７が掛け回されるトップシーブブロック１８が設けられている。
【００１０】
本形態例に示すトップシーブブロック１８には、リーダ１４の前面で作業機を昇降させるための第１ワイヤロープ２１と、リーダ１４の側面で他の作業機を昇降させるための第２ワイヤロープ２２と、ロッドなどを吊り上げるために補助的に設けられた第３ワイヤロープ２３とが掛け渡されている。第１ワイヤロープ２１と第２ワイヤロープ２２とはリーダ１４の中央部で直交しており、第１ワイヤロープ２１が第２ワイヤロープ２２の上方を通過するように形成されている。
【００１１】
第１ワイヤロープ２１は、リーダ１４の前後方向に向けて設けられた第１アーム２４の前後両端部にそれぞれ設けられた複数の第１シーブ２５に掛け渡され、第１ワイヤロープ２１の先端側は、オーガ駆動装置１６のシーブ１６ａを経て第１アーム２４の上部前方に設けられた中継シーブ２５ａによって前後方向に向きを変えて上方に変位した後、先端が第１の固定部材（第１ワイヤソケット）２６に固定されている。
【００１２】
第１ワイヤソケット２６は、第１ワイヤロープ２１の着脱を容易に行えるように、かつ、オーガ駆動装置１６をリーダ上端部近傍まで上昇させることができるように、基部２６ａが第１アーム２４の上部後方に設けられた固定部材用ブラケット２７に上下方向に回動可能に取り付けられており、第１ワイヤロープ２１に所定の引張力が作用しているときには、前後方向を向いて水平状態となっている。
【００１３】
第２ワイヤロープ２２は、リーダ１４の左右方向に向けて設けられた第２アーム２８の左右両端部にそれぞれ設けられた複数の第２シーブ２９に掛け渡され、第２ワイヤロープ２２の先端側は、リーダ１４の側面を昇降する作業装置のシーブ（図示せず）を経て上昇し、第２アーム２８の先端側下部に上下方向を向いて設けられた第２の固定部材（第２ワイヤソケット）３０に固定されている。
【００１４】
第３ワイヤロープ２３は、前記第２アーム２８の基部側上面に設けられた基板３１の上に取り付けられた基部側第３シーブ３２ａに掛け渡された後、第２アーム２８の先端側後方に向かって斜めに延出したブラケット３３に取り付けられた先端側第３シーブ３２ｂに掛け渡されて下方に垂下した状態になっており、第３ワイヤロープ２３の先端には吊り具（図示せず）などが設けられている。
【００１５】
基部側第３シーブ３２ａ及び先端側第３シーブ３２ｂは、各ワイヤロープ２１，２２，２３の取り回しの関係などから、基部側第３シーブ３２ａは第２アーム２８の基部側上方で、先端側第３シーブ３２ｂより高い位置に設けられており、基部側第３シーブ３２ａと先端側第３シーブ３２ｂとの間の第３ワイヤロープ２３は、基部側第３シーブ３２ａから先端側第３シーブ３２ｂに向かって下り勾配となっており、基部側第３シーブ３２ａの近傍で、前記第１ワイヤソケット２６の下方を斜めに通過して横断する状態となっている。
【００１６】
このように３本のワイヤロープを立体交差させるように形成されたトップシーブブロック１８における前記第１ワイヤソケット２６の下方には、該第１ワイヤソケット２６の先端側が下方に回動することを抑制するための固定金具支持部材３４が設けられている。
【００１７】
固定金具支持部材３４は、前記基板３１の上面から上方に向かって立ち上がる脚部３４ａと、該脚部３４ａの上部から第１ワイヤソケット２６の下方に向かって屈曲した支持部３４ｂと、支持部３４ｂの先端に設けられた振止部３４ｃとを有する逆Ｌ字状の部材であって、第１ワイヤロープ２１に弛みが生じて第１ワイヤソケット２６の先端側が下方に向かって回動したときに、支持部３４ｂが第１ワイヤソケット２６の先端側下面を支持して第１ワイヤソケット２６の先端側下面が第３ワイヤロープ２３に接触することを防止する。これにより、第１ワイヤソケット２６との接触で第３ワイヤロープ２３が損傷することがなくなり、第３ワイヤロープ２３による吊り上げ作業における安全性を向上させることができる。また、振止部３４ｃを設けることによって第１ワイヤソケット２６が支持部３４ｂの上から外れることを防止できる。
【００１８】
なお、トップシーブブロックにおける３本以上のワイヤロープの取り回し状態はトップシーブブロックの構成やワイヤロープの使用目的などに応じて任意に設定することができ、固定金具支持部材の形状や取付位置は、ワイヤソケット（固定金具）とその下方を通過するワイヤロープとの関係に応じて最適な状態になるように適宜設定すればよい。また、固定金具の回動を抑制することから、ワイヤロープの固定金具側が屈曲することを抑えることができ、固定金具に固定されたワイヤロープの疲労も軽減することができるので、下方に他のワイヤロープが通過していない固定金具にも固定金具支持部材を設けることができる。
【符号の説明】
【００１９】
１１…下部走行体、１２…上部旋回体、１３…フロントブラケット、１４…リーダ、１５…バックステー、１６…オーガ駆動装置、１６ａ…シーブ、１７…ワイヤロープ、１８…トップシーブブロック、２１…第１ワイヤロープ、２２…第２ワイヤロープ、２３…第３ワイヤロープ、２４…第１アーム、２５…第１シーブ、２５ａ…中継シーブ、２６…第１ワイヤソケット、２６ａ…基部、２７…固定部材用ブラケット、２８…第２アーム、２９…第２シーブ、３０…第２ワイヤソケット、３１…基板、３２ａ…基部側第３シーブ、３２ｂ…先端側第３シーブ、３３…ブラケット、３４…固定金具支持部材、３４ａ…脚、３４ｂ…支持部
【図１】
0005389679.tif 000002
【図２】
0005389679.tif 000003
【図３】
0005389679.tif 000004
【図４】
0005389679.tif 000005